(57)【要約】【課題】支持脚体や配線ケーブル等の外部への露出を少なくし、什器としての体裁を軽快にすることで意匠性の向上を図ることができ、しかも天板の下降時における挟み込みを防ぐことができ、使用時の安全性を向上することができる。【解決手段】床面Ｆ上に立設された下部支持体１０と、下部支持体１０に支持されて前記下部支持体１０から上方へと延び、上下方向Ｄｖに伸縮可能とされた支持脚体２０と、支持脚体２０に支持された天板３１と、を有し、下部支持体１０は、下部支持体１０の外側方と天板３１の下部空間とを区画する平板状の下部後幕板１１及び一対の下部横幕板１２と、下部後幕板１１及び一対の下部横幕板１２により区画された下部空間側に、下部後幕板１１の上端部１１ａ及び一対の下部横幕板１２の上端部１２ａより下方に設けられ、支持脚体２０の下部脚体２１を収容する収容部１６と、を備えた構成の天板昇降式什器を提供する。【選択図】図２
2020069007.tif 000002
【特許請求の範囲】
【請求項１】
床面上に立設された下部支持体と、
該下部支持体に支持されて前記下部支持体から上方へと延び、上下方向に伸縮可能とされた支持脚体と、
前記支持脚体に支持された天板と、を有し、
前記下部支持体は、
前記下部支持体の外側方と前記天板の下部空間とを区画する平板状の区画板と、
該区画板により区画された前記下部空間側に、前記区画板の上端部より下方に設けられ、前記支持脚体の下部を収容する収容部と、
を備えていることを特徴とする天板昇降式什器。
【請求項２】
前記収容部の上面には、物品を載置可能な物品載置面が形成されていることを特徴とする請求項１に記載の天板昇降式什器。
【請求項３】
前記区画板として、前記支持脚体の後側に設けられた後幕板と、該後幕板の左右両端部から前方に延びる一対の横幕板とを備え、前記後幕板と一対の横幕板とが平面視コ字状に形成されていることを特徴とする請求項１又は２に記載の天板昇降式什器。
【請求項４】
前記収容部の下端は、前記区画板の下端よりも上方に位置することを特徴とする請求項１乃至３のいずれか１項に記載の天板昇降式什器。
【請求項５】
前記天板における少なくとも左右方向の一方の側端部は、左右方向の前記一方の側端部側に位置する前記区画板の外側面より左右方向内側に離間していることを特徴とする請求項１乃至４のいずれか１項に記載の天板昇降式什器。
【請求項６】
前記天板は、前記支持脚体が最も縮減した状態において、前記区画板の上端部との間に上下方向の隙間を形成して配置されていることを特徴とする請求項１乃至５のいずれか１項に記載の天板昇降式什器。
【発明の詳細な説明】
【技術分野】
【０００１】
本発明は、天板昇降式什器に関する。
【背景技術】
【０００２】
従来、オフィスや公共施設等の執務空間においては、執務者に作業エリアを提供するためにデスク装置が配設されているのが一般的である。このようなデスク装置では、執務者の体格や性別、嗜好によって作業のし易い天板の高さが異なることから、天板の高さを変更可能とした昇降機能を備えた天板昇降式什器が使用されている。これにより、執務者の要望に対応した天板高さの作業エリアを提供することができ、執務者への負荷を低減することを可能としている。
【０００３】
上述した天板昇降式什器において天板高さを上下に変更するための手段としては、例えば特許文献１、２に示すような、ガススプリングを用いる方法やギアを用いる方法等により、簡易的な構造でコストを低減できるものが提案されている。ところが、これらの方法では、操作するために執務者に十分な力が必要となるうえ、天板の高さにおける操作姿勢の悪さの影響を受けやすいという問題を有していた。
【０００４】
そこで、執務者が天井高さを変更する際の操作性を良好にすることを目的とした電動式駆動ユニットを用いる方法が多く採用されている（例えば、特許文献３、４、５参照）。このような天板昇降式什器の電動式駆動ユニットは、天板を上下移動可能に支持する支持脚体と、昇降操作するための操作スイッチと、操作スイッチの入力に応じて支持脚体の動作を制御するコントローラ、及びこれらを接続する配線ケーブルと、を備えて構成されている。このため、コントローラや配線ケーブルが外部に露呈してしまうと、什器としての体裁が悪くなってしまうという問題を有していた。
【０００５】
これに対応するため、什器内にコントローラや配線ケーブルを載置・収容するための収容部を天板下方に設けた下部構造体内部に収める方法が採用されている。また、什器としての体裁をより良好なものとするものとして、例えば特許文献６、７に示すような、支持脚体を下部構造体の内部に収容する構成のものが知られている。
【先行技術文献】
【特許文献】
【０００６】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特許第５７１８５０３号公報
【特許文献６】特開２０１７−１７６４５３号公報
【特許文献７】特開２０１７−０８６４３６号公報
【発明の概要】
【発明が解決しようとする課題】
【０００７】
上述した特許文献６、７に示すような従来の天板昇降式什器では、支持脚体やコントローラ、配線ケーブル等を内部に収容する部材を下部構造体の内部に収容する必要があるため、下部構造体自体が大きくなってしまい、重厚な体裁になってしまう。そのため、什器自体を軽快な体裁に収めることができる意匠性に優れたものが求められており、その点で改善の余地があった。
【０００８】
また、上述したように下部構造体が大型化すると、その下部構造体の上面に物品が載置可能なスペースが形成されることになる。そうすると、下部構造体の上面に載置された物品が下降動作した天板と下部構造体の上面との間に挟まれてしまうという問題があった。
【０００９】
本発明は、上述する問題点に鑑みてなされたもので、支持脚体や配線ケーブル等の外部への露出を少なくし、什器としての体裁を軽快にすることで意匠性の向上を図ることができる天板昇降式什器を提供することを目的とする。
また、本発明の他の目的は、天板の下降時における挟み込みを防ぐことができ、使用時の安全性を向上することができる天板昇降式什器を提供することである。
【課題を解決するための手段】
【００１０】
上記目的を達成するため、本発明に係る天板昇降式什器は、床面上に立設された下部支持体と、該下部支持体に支持されて前記下部支持体から上方へと延び、上下方向に伸縮可能とされた支持脚体と、前記支持脚体に支持された天板と、を有し、前記下部支持体は、前記下部支持体の外側方と前記天板の下部空間とを区画する平板状の区画板と、該区画板により区画された前記下部空間側に、前記区画板の上端部より下方に設けられ、前記支持脚体の下部を収容する収容部と、を備えていることを特徴としている。
【００１１】
本発明では、収容部に支持脚体の下部や配線ケーブル等の収容部品を収容することができるので、これら天板を昇降させる部品が外部に露出することを防止できる。そして、収容部が区画板の上端部より下方に設けられているので、天板を上昇させた位置のときであっても、収容部が区画板に隠れて外方から視認しにくい状態となることから、什器としての体裁を良好かつ軽快なものとなる。
また、本発明では、収容部が区画板の上端部より下方に設けられているので、仮に収容部の上に物品を載置してしまっても、天板を下降させたときに天板と収容部との間での物品の挟み込みを防止することができる。
【００１２】
また、本発明に係る天板昇降式什器は、前記収容部の上面には、物品を載置可能な物品載置面が形成されていることが好ましい。
【００１３】
この場合には、物品載置面が区画板の上端部から下方に位置しているので、外方から物品載置面が見えにくく意匠性の向上を図ることができる。また、天板が上昇位置の場合に収容部の上面の物品載置面に物品を載置しても、その物品が見えにくいうえ、物品が物品載置面上に載置された状態で天板を下降させてしまっても、天板との間で物品が挟まれることを抑制することができる。
【００１４】
また、本発明に係る天板昇降式什器は、前記区画板として、前記支持脚体の後側に設けられた後幕板と、該後幕板の左右両端部から前方に延びる一対の横幕板とを備え、前記後幕板と一対の横幕板とが平面視コ字状に形成されていることが好ましい。
【００１５】
この場合には、区画板が平面視コ字状に形成されているので、什器の後面側、及び左右側方からコ字状の区画板の内側に配置される収容部が外方から見えにくくなるため、体裁を良好なものとすることができる。
【００１６】
また、本発明に係る天板昇降式什器は、前記収容部の下端は、前記区画板の下端よりも上方に位置することを特徴としてもよい。
【００１７】
この場合には、収容部の下方に空間を確保することができ、この空間に天板昇降式什器を使用する執務者の足先を収容することが可能となり、執務者の下肢収容空間を広げることができる。
【００１８】
また、本発明に係る天板昇降式什器は、前記天板における少なくとも左右方向の一方の側端部は、左右方向の前記一方の側端部側に位置する前記区画板の外側面より左右方向内側に離間していることを特徴としてもよい。
【００１９】
この場合には、天板昇降式什器を他の什器と左右方向で天板の前記一方の側端部側に隣接させて配置した状態で、上下方向に昇降する天板と隣接する他の什器との間に隙間が形成される。そのため、天板を下降させたときに天板と前記他の什器との間で物品などを挟んでしまうことを防止できる。
【００２０】
また、本発明に係る天板昇降式什器は、前記天板は、前記支持脚体が最も縮減した状態において、前記区画板の上端部との間に上下方向の隙間を形成して配置されていることが好ましい。
【００２１】
この場合には、上下方向に昇降する天板と区画板の上端部との間に隙間が形成されるため、天板を下降させたときに天板と区画板の上端部との間で物品などを挟んでしまうことを防止できる。
【発明の効果】
【００２２】
本発明の天板昇降式什器によれば、支持脚体や配線ケーブル等の外部への露出を少なくし、什器としての体裁を軽快にすることで意匠性の向上を図ることができる。
また、本発明の天板昇降式什器によれば、天板の下降時における挟み込みを防ぐことができ、使用時の安全性を向上することができる。
【図面の簡単な説明】
【００２３】
【図１】本発明の実施形態による天板昇降式什器を使用した什器システムを斜め後方から見た斜視図である。
【図２】図１に示す天板昇降式什器を斜め前方から見た斜視図であって、天板が上昇位置にある状態を示す図である。
【図３】図１に示す天板昇降式什器を斜め前方から見た斜視図であって、天板が架構位置にある状態を示す図である。
【図４】図２に示す天板昇降式什器を前方から見た正面図である。
【図５】図４に示すＡ−Ａ線矢視図であって、天板昇降式什器の側面図である。
【図６】図３に示す天板昇降式什器を前方から見た正面図である。
【図７】図４に示すＢ−Ｂ線矢視図であって、天板昇降式什器における天板より下方の平面図である。
【発明を実施するための形態】
【００２４】
以下、本発明の実施形態による天板昇降式什器について、図面に基づいて説明する。
【００２５】
図１に示す本実施形態による天板昇降式デスク１（天板昇降式什器）は、執務用のデスクＤのサイドテーブルとして採用されている。ここで、図１は、Ｌ字型のデスクＤと天板昇降式デスク１を組み合わせて配置した什器システム１Ａを示している。
【００２６】
天板昇降式デスク１は、図２〜図６に示すように、床面Ｆ上に設置される下部支持体１０と、下部支持体１０に支持されて下部支持体１０から上方へと延び、上下方向に伸縮可能とされた支持脚体２０と、支持脚体２０に支持され天板３１を備える上部構造体３０と、を備えている。
【００２７】
ここで、天板３１は、平面視長方形状をなしている。以下の説明において、平面視長方形状の天板３１の長手方向を「左右方向Ｄｈ」、天板３１の短手方向を「前後方向Ｄｆ」と称することがある。上下方向は、符号Ｄｖとする。さらに、天板３１の前後方向Ｄｆにおいて、天板３１に対してメインの使用者が位置する側を「前側」、天板３１の前側とは反対側を「後側」とする。
【００２８】
下部支持体１０は、下部後幕板１１（区画板）と、床面Ｆ上に互いに左右方向Ｄｈで離間して配置された一対の下部横幕板１２（区画板）と、下部後幕板１１の前方に離間して配置された平板状の収容板１３と、を備えている。下部後幕板１１と一対の下部横幕板１２は、下部支持体１０の外側方と天板３１の下部空間とを区画している。
【００２９】
下部後幕板１１は、支持脚体２０の後側に設けられ、天板３１の後端部３１ａの下方に配置されている。なお、後端部３１ａとは、天板３１のうち前後方向Ｄｆの中心に対して後側に位置する部分をいう。
下部後幕板１１は、左右方向Ｄｈに沿って配置され、一対の下部横幕板１２同士の間を架け渡して、下部横幕板１２同士の間で天板３１の下方空間を前後方向Ｄｆで仕切っている。本実施形態において、下部後幕板１１は、前後方向Ｄｆの位置が天板３１の後端面３１ａと面一に配置されている。なお、下部後幕板１１は、天板３１の後端面３１ａに対し、前側に所定寸法オフセットした位置に配置されていてもよい。
【００３０】
下部横幕板１２は、天板３１の後端部３１ａにおける左右方向Ｄｈの両側でそれぞれ隣り合う側端部３１ｂの下方に配置されている。各下部横幕板１２は、下部後幕板１１と同じ高さに設けられ、左右方向Ｄｈに直交する面内に沿って配置されている。すなわち、各下部横幕板１２は、天板３１の側端部３１ｂに沿って天板３１の短手方向に延びている。各下部横幕板１２の後端部は、それぞれ下部後幕板１１の左右方向Ｄｈの両側端部１１ｂ、１１ｂに接続されている。
各下部横幕板１２は、下端に設けられる高さ調整用のアジャスタ１２１を介して、床面Ｆ上に設置されている。
【００３１】
収容板１３は、下部後幕板１１の前方に所定の間隔（後述する収容領域）をあけた状態で、板面を下部後幕板１１に平行にして配置され、左右方向Ｄｈの両側端部１３ｂ、１３ｂがそれぞれ下部横幕板１２の内側面１２ｂに接続されている。収容板１３は、上下方向の長さ寸法が下部後幕板１１及び下部横幕板１２よりも小さく設定されている。収容板１３は、上端部１３ａが下部後幕板１１の上端部１１ａ及び一対の下部横幕板１２の上端部１２ａよりも低い位置に配置され、下端部１３ｃが下部後幕板１１の下端部１１ｃ及び一対の下部横幕板１２の下端部１２ｃよりも上方に位置している。このように収容板１３によって天板３１の下方空間が前後方向Ｄｆに区画されている。
【００３２】
収容板１３の上端部１３ａには、収容板１３と下部後幕板１１との間の空間の上部を覆うように平板状の上板１４（物品載置面）が配置されている。上板１４には、例えば天板３１を上昇させて上板１４の上方が開放された状態のときに、執務で使用する筆記具や書類等の物品を載置することができる。上板１４は、下部後幕板１１、一対の下部横幕板１２、及び収容板１３の上部に連結されている。上板１４は、上面１４ａが水平に向けて配置され、上面１４ａが下部後幕板１１の上端部１１ａ及び一対の下部横幕板１２の上端部１２ａよりも低い位置となっている。
【００３３】
上板１４は、上面１４ａが収容板１３の上端部１３ａと面一に配置されている。なお、上板１４は、収容板１３の上端部１３ａに対し、下側又は上側に所定寸法だけオフセットした位置に配置されていてもよい。要は、上板１４が下部後幕板１１の上端部１１ａ及び一対の下部横幕板１２の上端部１２ａよりも低い位置に配置されていればよいのである。
また、上板１４には、支持脚体２０を上下方向Ｄｖに貫通させる切欠開口部１４ｂが形成されている。
【００３４】
収容板１３の下端部１３ｃ側には、上板１４に対して上下方向Ｄｖに対向する平板状の底板１５が設けられている。底板１５は、下部後幕板１１、一対の下部横幕板１２、及び収容板１３の下部に連結されている。底板１５の上面には、支持脚体２０の下端が支持される。
このように下部後幕板１１の前方には、収容板１３、下部横幕板１２、上板１４、及び底板１５によって囲まれる箱状の空間（収容空間Ｒ）を有する収容部１６が形成される。すなわち、収容部１６は、収容板１３、下部後幕板１１の一部、下部横幕板１２の一部、上板１４、及び底板１５より構成されている。
収容空間Ｒは、支持脚体２０の下部（主に後述する下部脚体２１）などが収容される領域となる。
【００３５】
支持脚体２０は、上下方向Ｄｖに伸縮する角形断面で多段筒状（例えば、三段）をなし、左右方向Ｄｈの中間部において脚下端２０ａが底板１５の上面に固定されている。支持脚体２０は、天板３１の後側に配置されている。支持脚体２０は、下部脚体２１、中間脚体２２、及び上部脚体２３を備え、各脚体２１、２２、２３を上下方向に出没させることで支持脚体２０の上下方向Ｄｖの長さが調整可能となっている。すなわち、支持脚体２０は、天板３１を上昇位置Ｐ１（図２、図４及び図５参照）と下降位置Ｐ０（図３及び図６）との間で上下方向Ｄｖに昇降させるように支持している。
【００３６】
下部脚体２１は、上下方向に延びる角筒状に形成され、収容空間Ｒ内に収容されて、下端（脚下端２０ａ）が底板１５の上面に固定されている。
中間脚体２２は、下部脚体２１の内側に収容され、下部脚体２１の上端開口部から上方に向かって出没可能となっている。
上部脚体２３は、中間脚体２２の内側に収容され、中間脚体２２の上端開口部から上方に向かって出没可能となっている。上部脚体２３の上端部２３ａは、上部構造体３０の天板３１の下面３１ｃに固定されている。
そして、支持脚体２０は、完全に収縮された状態において天板３１の下方に隠れるようになっている。
【００３７】
支持脚体２０の内部には、下部脚体２１に対して中間脚体２２及び上部脚体２３を上下方向Ｄｖに昇降させるモータ等の駆動機構が内蔵されている。また、支持脚体２０の前記駆動機構は、天板３１の下面３１ｃに設けられたスイッチ２４に接続されている。
【００３８】
具体的には、スイッチ２４から延びる第一配線ケーブルが収容空間Ｒ内に配設されたコントローラ（図示省略）に接続され、コントローラから延びる第二配線ケーブルが、支持脚体２０の駆動機構に接続されている。使用者によりスイッチ２４が入力操作されると、第一配線ケーブルを介してコントローラに入力され、これに応じてコントローラが支持脚体２０の駆動機構を制御し、支持脚体２０が上下方向Ｄｖに伸縮される。
ここで、支持脚体２０が伸縮するときには、中間脚体２２及び上部脚体２３が下部脚体２１から上方に向かって出没する。
【００３９】
上部構造体３０は、上述した天板３１と、支持脚体２０上に支持され天板３１を保持する天板取付け板３２（図４、図５、及び図６参照）と、を有している。
【００４０】
天板３１は、上面３１ｄが作業面とされ、平面視で左右方向Ｄｈに長い長方形をなしている。天板３１の下面３１ｃには、天板取付け板３２を介して支持脚体２０の上端２０ｂに支持されている。天板３１は、支持脚体２０の伸縮によって下降位置Ｐ０と上昇位置Ｐ１との間で昇降移動される。天板３１は、下降位置Ｐ０において、天板３１の下面３１ｃと、下部後幕板１１の上端部１１ａ、及び一対の下部横幕板１２の上端部１２ａとの間に上下方向Ｄｖの隙間Ｓが形成される。この隙間Ｓの上下方向Ｄｖの寸法としては、例えば指や手が挟まれない程度（例えば２５ｍｍ）に設定される。
【００４１】
また、天板３１の下面３１ｃには、スイッチ２４に電気信号や電気を供給するための配線ケーブル２５（上述した第一配線ケーブルに相当）が接続されている。この配線ケーブル２５は、蛇腹式のケーブル配線カバー２６に収容されており、天板３１の上下移動に応じて形状変形可能に設けられている。
【００４２】
次に、上述した天板昇降式什器１の作用について、図面に基づいて詳細に説明する。
本実施形態による天板昇降式什器１では、図２〜図６に示すように、収容部１６に支持脚体２０の下部脚体２１や配線ケーブル等の収容部品を収容することができるので、これら天板３１を昇降させる部品が外部に露出することを防止できる。そして、収容部１６が下部後幕板１１の上端部１１ａや下部横幕板１２の上端部１２ａより下方に設けられているので、天板３１を上昇位置Ｐ１としたときであっても、収容部１６が下部後幕板１１や下部横幕板１２に隠れて外方から視認しにくい状態となることから、什器としての体裁を良好かつ軽快なものとなる。
【００４３】
また、本実施形態では、収容部１６が下部後幕板１１の上端部１１ａや下部横幕板１２の上端部１２ａより下方に設けられているので、仮に収容部１６の上板１４の上面１４ａに物品を載置してしまっても、天板３１を下降させたときに天板３１と上板１４との間での物品の挟み込みを防止することができる。
【００４４】
また、本実施形態では、上板１４の上面１４ａが下部後幕板１１の上端部１１ａや下部横幕板１２の上端部１２ａから下方に位置しているので、外方から上板１４が見えにくく意匠性の向上を図ることができる。
また、天板３１が上昇位置Ｐ１の場合に上板１４の上面１４ａに物品を載置しても、その物品が見えにくいうえ、物品が上面１４ａ上に載置された状態で天板３１を下降させてしまっても、天板３１との間で物品が挟まれることを抑制することができる。
【００４５】
また、本実施形態では、下部後幕板１１と一対の下部横幕板１２とによって平面視コ字状に形成されているので、什器の後面側、及び左右側方からコ字状の幕板１１、１２の内側に配置される収容部１６が外方から見えにくくなるため、体裁を良好なものとすることができる。
【００４６】
また、本実施形態では、収容部１６（底板１５）の下端は、下部後幕板１１の下端部１１ｃと一対の下部横幕板１２の下端部１２ｃよりも上方に位置しているので、収容部１６の下方に空間を確保することができ、この空間に天板昇降式什器１を使用する執務者の足先を収容することが可能となり、執務者の下肢収容空間を広げることができる。
【００４７】
また、本実施形態では、上下方向Ｄｖに昇降する天板３１と、下部後幕板１１の上端部１１ａと一対の下部横幕板１２の上端部１２ａとの間に隙間Ｓが形成されるため、天板３１を下降させたときに天板３１と前記上端部１１ａ、１２ａとの間で物品などを挟んでしまうことを防止することができる。
【００４８】
上述のように本実施形態による天板昇降式什器１では、支持脚体２０や配線ケーブル等の外部への露出を少なくし、什器としての体裁を軽快にすることで意匠性の向上を図ることができる。
また、本実施形態の天板昇降式什器１によれば、天板３１の下降時における挟み込みを防ぐことができる。
【００４９】
以上、本発明による天板昇降式什器の実施形態について説明したが、本発明は上記の実施形態に限定されるものではなく、その趣旨を逸脱しない範囲で適宜変更可能である。
【００５０】
例えば、収容部１６における上板１４の上面１４ａが物品を載置可能な物品載置面として形成されているが、物品を載置する面であることに限定されることはない。
また、収容部１６としては、区画板を含まない構成であってもかまわない。例えば、区画板よりも内側に収容空間を囲む板状の部材が配され、この板状の部材が収容部を構成する部材であっても良い。
【００５１】
また、本実施形態では、下部支持体１０の区画板として、下部後幕板１１と、下部後幕板１１の左右両端部から前方に延びる一対の下部横幕板１２とによって平面視コ字状に形成された構成としているが、他の形態であってもかまわない。例えば下部後幕板１１を残し、一対の下部横幕板１２を省略して柱状の脚部を設けた構成であってもよい。
【００５２】
また、本実施形態では、収容部１６の下端は、下部後幕板１１の下端部１１ｃと一対の下部横幕板１２の下端部１２ｃよりも上方に位置するように構成し、収容部１６の下方に空間を形成しているが、このような空間を設けることに制限されることはない。つまり、収容部１６（仕切板１３）の下端が床面Ｆに接地、或いは近接する位置にあってもかまわない。
【００５３】
さらに、本実施形態では、天板３１は、支持脚体２０が縮減した状態において、区画板の上端部との間に上下方向の隙間Ｓを形成して配置されているが、このような隙間Ｓを省略することも可能である。
【００５４】
なお、上述した実施形態では、平面視で天板３１の後端部３１ａが下部後幕板１１の後面と前後方向で同位置に設けられ、両側端部３１ｂ、３１ｂが下部横幕板１２の外側面と左右方向と同位置に設けられているがこの位置であることに制限されることはない。
例えば、天板３１における少なくとも左右方向Ｄｈの一方の側端部３１ｂは、前記区画板の左右方向Ｄｈで前記一方の側端部３１ｂ側に位置する側面より内側に離間している構成としてもよい。この場合には、天板昇降式什器１を他の什器と左右方向Ｄｈで天板３１の前記一方の側端部３１ｂ側に隣接させて配置した状態で、上下方向Ｄｖに昇降する天板３１と隣接する他の什器との間に隙間が形成される。そのため、天板３１を下降させたときに天板３１と前記他の什器との間で物品などを挟んでしまうことを防止することができる。
さらに、天板３１の後端部３１ａが下部後幕板１１の後面よりも内側に離間する構成としてもよい。
【００５５】
その他、本発明の趣旨を逸脱しない範囲で、上記した実施形態における構成要素を周知の構成要素に置き換えることは適宜可能である。
【符号の説明】
【００５６】
１  天板昇降式什器
１０  下部支持体
１１  下部後幕板（区画板）
１１ａ  上端部
１２  下部横幕板（区画板）
１２ａ  上端部
１３  収容板
１３ａ  上端部
１４  上板（物品載置面）
１４ａ  上面
１５  底板
１６  収容部
２０  支持脚体
２１  下部脚体（下部）
３０  上部構造体
３１  天板
３１ｂ  側端部
３１ｃ  下面
Ｄｈ  左右方向
ｓＤｆ  前後方向
Ｆ  床面
Ｓ  隙間
Ｒ  収容空間
【図１】
2020069007.tif 000003
【図２】
2020069007.tif 000004
【図３】
2020069007.tif 000005
【図４】
2020069007.tif 000006
【図５】
2020069007.tif 000007
【図６】
2020069007.tif 000008
【図７】
2020069007.tif 000009